(57)【特許請求の範囲】
【請求項１】
裏面側に孔部が配設され、この孔部内に電源接続用の端子部が具備されたユニット本体と、壁面または棚へのユニット本体の取付け固定と前記孔部の被覆のための取付けカバーとを備え、ユニット本体の背面とユニット本体に装着された取付けカバー体とが面一の形状とされたマイナスイオン発生装置であって、ユニット本体の表面に通気孔が具備された表面カバー体が配設され、マイナスイオン発生装置の内部には、仕切り板が配設されてマイナスイオン発生部と電気基盤配置部とが設けられ、マイナスイオン発生部において、マイナスイオンを含む空気をマイナスイオン発生装置外に噴出させるためのマイナスイオン噴出口がユニット本体に設けられ、マイナスイオン噴出口と仕切り板との間に放電用の電極が設けられ、電極より仕切り板側に前記通気孔が配置されていることを特徴とするマイナスイオン発生装置。
【発明の詳細な説明】
【０００１】
【発明の属する技術分野】
この出願の発明は、屋内外において、壁掛けや、吊戸棚への取付け、卓上での使用等の、いずれの形態においても使用可能なマイナスイオン発生装置に関するものである。
【０００２】
【従来の技術】
従来より天井や、吊戸棚への取付、壁掛けや卓上、据え置き型等の使用形態毎の専用の構造や形態を具備した各種の電気機器が知られている。たとえばこのような電気機器の一種として、近年、健康で快適な生活環境を工夫するとの観点からマイナスイオンの発生装置がある。これまでにも、マイナスイオン発生装置を組込んだ空気清浄器や、加湿機、エアコン等が知られており、また、クリーンバスユニットに装着したマイナスイオン発生装置も提案されている（特許文献１）。
【０００３】
しかしながら、マイナスイオン発生装置をはじめとするこれまでの電気機器の場合には、空気清浄器、加湿機、エアコン等への内蔵型のものはもとより、壁掛け、吊戸棚や天井、あるいは前記のようなクリーンバスユニット等への取付け固定による使用と、卓上での使用のいずれの場合であっても、簡便に、しかも外観性がすっきりした形態で使用可能とすることは難しいのが実情であった。
【０００４】
たとえば、従来では、各種の電気機器を吊棚への取付けや、壁掛け設置する場合、図６に示したように、壁面等に固定する係止具（２３）をあらかじめ止め具（２４）によって取付け、装置本体（１９）の背板（２０）に設けた孔部（２１）に係止具（２３）を引掛けて装置本体（１９）を取付け固定することや、あるいは逆に装置本体（１９）の背板に係止具（２３）に相当する係止手段を設け、これを壁面等の孔部に挿入するか、さらには、壁面等の係止具（２３）に装置本体（１９）の背板（２０）の係止手段を係合固定するようにしている。
【０００５】
つまり、装置本体（１９）とは別の係止具（２３）や前記の係止手段が必要とされている。
【０００６】
一方、卓上設置も可能とする場合には、壁面等の係止具（２３）が露出した状態となって室内インテリア意匠の点で好ましくなく、装置本体（１９）の背板（２０）部に係止手段を突設することはできない。背板（２０）部は卓上使用のために面一の状態とすることが必要である。しかも卓上使用型の場合には、通常、装置本体（１９）にはあらかじめ電源コンセントコード（２２）が取付けられており、この電源コンセントコード（２２）は外部に露出している。しかも、その長さが定まっている。このため、吊棚への固定や壁掛け等によって固定設置する際に、見栄えが良好でなく、電源配線の状況に大きく制約されてしまう。
【０００７】
また、図７の例のように、装置本体（１９）の背面に設けられている固定用ネジ穴（２５）（２６）を介して、装置本体（１９）を天井等に取付け固定する電気機器の場合には、通常、露出した形態の端子部（２７）に配線接続（２８）して電力を確保する。この場合、図６のような卓上設置等の場合とは異なり、電源コンセントコード（２２）が配設されていないため、特定の設置場所から別の場所への移動はもちろんのこと、卓上使用型として直ちに転用することは困難である。
【０００８】
このように、従来の電気機器においては、壁掛け設置や吊棚設置、天井設置等の固定使用と、卓上使用とを兼用することは困難であった。このような課題は、健康、快適な生活環境への関心の高まりとともに社会的需要が高まっているマイナスイオン発生装置、空気清浄器、加湿器、あるいは照明や音響機器等の電気機器において特に重要なものとなっている。
【０００９】
【特許文献１】
特開２０００−４８９３２号公報
【００１０】
【発明が解決しようとする課題】
そこでこの出願の発明は、以上のとおりの事情に鑑みてなされたものであって、従来の外観意匠性や取付け構造、電源接続等の構造的問題点を解消し、屋内外を問わず、壁掛け設置や、天井設置、吊戸棚設置等の固型設置型と、卓上での可動設置等の各種のタイプとして兼用することのできる新しいマイナスイオン発生装置を提供することを課題としている。
【００１１】
【課題を解決するための手段】
この出願の発明のマイナスイオン発生装置は、上記の課題を解決するために、裏面側に孔部が配設され、この孔部内に電源接続用の端子部が具備されたユニット本体と、壁面または棚へのユニット本体の取付け固定と前記孔部の被覆のための取付けカバーとを備え、ユニット本体の背面とユニット本体に装着された取付けカバー体とが面一の形状とされたマイナスイオン発生装置であって、ユニット本体の表面に通気孔が具備された表面カバー体が配設され、マイナスイオン発生装置の内部には、仕切り板が配設されてマイナスイオン発生部と電気基盤配置部とが設けられ、マイナスイオン発生部において、マイナスイオンを含む空気をマイナスイオン発生装置外に噴出させるためのマイナスイオン噴出口がユニット本体に設けられ、マイナスイオン噴出口と仕切り板との間に放電用の電極が設けられ、電極より仕切り板側に前記通気孔が配置されていることを特徴としている。
【００１３】
【発明の実施の形態】
この出願の発明は上記のとおりの特徴をもつものであるが、以下にその実施の形態について詳しく説明する。
【００１４】
添付した図面は、この出願の発明の実施の形態について例示したものである。図１は、この出願の発明のマイナスイオン発生装置を例示した一部分解斜視図である。この図１に例示したとおり、マイナスイオン発生装置（１）は、裏面側に孔部（８）が配設され、この孔部（８）内に電源接続用の端子部（８０１）が具備されたユニット本体（１０３）と、壁面または棚へのユニット本体（１０３）の取付け固定と前記孔部（８）の被覆のための取付けカバー体（１０１）とを備え、ユニット本体（１０３）の背面部（１０２）とユニット本体（１０３）に装着された取付けカバー体（１０１）とが面一の形状とされている。取付けカバー体（１０１）はビス孔（７０１）を通じてのビス（７）等によって、所定の設置箇所である天井や壁等の壁面あるいは棚に取付け固定される。そして、取付けカバー体（１０１）は、図１の組立工程に例示したように、ユニット本体（１０３）の表面側から挿入されたネジ（４）によるネジ穴（４０１）での固定で、ユニット本体（１０３）に装着一体化されるようにしている。
【００１５】
取付けカバー体（１０１）がユニット本体（１０３）に装着一体化されたマイナスイオン発生装置（１）には、たとえばこの図１に例示したように、ユニット本体（１０３）において電源スイッチ（２）やマイナスイオン噴出口（３）等が設けられることになる。
【００１６】
たとえばこのようなマイナスイオン発生装置（１）では、壁面（天井面の場合も含む）や棚への取付け固定による設置では、ユニット本体（１０３）の裏面側に設けられている孔部（８）内の端子部（８０１）が配線等によって接続されて電源供給可能とされる。一方、卓上で可動設置で使用できるようにするためには、図２に例示したように、ユニット本体（１０３）に、外部電源へのコード接続可能とするために、電源コネクタ（２０１）を具備することができる。この電源コネクタ（２０１）は、前記の端子部（８０１）と接続されている。このように、この出願の発明によれば、ごく一部の構成を変更するだけで、壁面や棚への固定取付けと、卓上での使用を簡便に変更でき、従来のような意匠性や構造的な欠点が顕在化することはない。
【００１７】
なお、図１および図２の例においては、背面部（１０２）は、ネジ（５）によってユニット本体（１０３）に装着されるようにしている。
【００１８】
図３は、マイナスイオン発生装置（１）の表面カバー体（１０４）が通気孔（６）をもつ例を示した平面図である。図３の例においては、ユニット本体（１０３）の表面に表面カバー体（１０４）が配設されており、この表面カバー体（１０４）には複数の通気孔（６）が具備されている。そして、この通気孔（６）と同一形状の、つまりほぼ同じ径のネジ穴を介して、これに挿入されたネジ（４）によって、前記のユニット本体（１０３）と取付けカバー体（１０１）とが装着一体化できるようにされている。前記の背面部（１０２）についても同様の装着一体化の構造とすることができる。
【００１９】
なお、図４は図３の例について底面側を例示した図である。
【００２０】
この出願の発明のマイナスイオン発生装置については、マイナスイオンの発生機構は各種のものであってよい。
【００２２】
図５は、マイナスイオン発生装置（１）内部を模式的に例示した断面図である。マイナスイオン発生装置（１）の内部には、基盤（９０１）、電極（１００１）（１００２）や、放電部（図示せず）、回路部（図示せず）、端子部（８０１）とともに、仕切り板（１１）（１２）が配設されている。第１の仕切り板（１１）によって、マイナスイオン発生部（１０）が設けられ、また基盤（９０１）へのほこりの侵入を防止する。第２の仕切り板（１２）は、第１の仕切り板（１１）との間に電気基盤配置部（９）を設け、また取付けカバー体（１０１）を外した時、回路部分に施工者の手等の接触を防止する効果を有する。そして、この図５に示したとおり、通気孔（６）は第１の仕切り板（１１）よりも前方に配設され、放電のための電極（１００１）（１００２）よりは後方に配設されているようにすることができる。また、電極（１００１）の針先端よりも前方にマイナスイオン噴出口（３）が配設され、ここからマイナスイオンを含んだ空気が噴出されるようにすることができる。これにより、通気循環作用が発生し、ファンがなくてもマイナスイオンを含んだ空気を噴出することができ、また放出されたマイナスイオンの有効範囲も広がるようにしている。
【００２３】
もちろん、この出願の発明は以上の例示に限られることはなく、細部の形態は様々に可能であることは言うまでもない。
【００２４】
【発明の効果】
以上詳しく説明したとおり、この出願の発明によって、壁掛け設置、天井設置、吊戸棚設置等の固定方式と、卓上設置等の可動方式の各種タイプのものを、良好な意匠性と、簡便な構造によって兼用とすることができ、さらには、ファンがなくともマイナスイオンを含んだ空気を噴出することができ、放出されたマイナスイオンの有効範囲も広がる新しいマイナスイオン発生装置が提供される。
【図面の簡単な説明】
【図１】  この出願の発明のマイナスイオン発生装置の一実施形態を模式的に例示した分解斜視図である。
【図２】  この出願の発明のマイナスイオン発生装置の別の実施形態を模式的に例示した斜視図である。
【図３】  この出願の発明のマイナスイオン発生装置の表面カバー体側を例示した平面図である。
【図４】  この出願の発明のマイナスイオン発生装置の背面部側を例示した底面図である。
【図５】  この出願の発明のマイナスイオン発生装置の内部構成を模式的に例示した断面図である。
【図６】  従来例を示した模式斜視図である。
【図７】  従来の別の例を示した模式斜視図である。
【符号の説明】
１  マイナスイオン発生装置
１０１  取付けカバー体
１０２  背面部
１０３  ユニット本体
１０４  表面カバー体
２  電源スイッチ
２０１  電源コネクタ
３  マイナスイオン噴出口
４  ネジ
４０１  ネジ穴
５  ネジ
６  通気孔
７  ビス
７０１  ビス孔
８  孔部
８０１  端子部
９  電気基盤配置部
９０１  基盤
１０  マイナスイオン発生部
１００１  電極
１００２  電極
１１  仕切り板
１２  仕切り板
【図１】
0004010250.tif 000002
【図２】
0004010250.tif 000003
【図３】
0004010250.tif 000004
【図４】
0004010250.tif 000005
【図５】
0004010250.tif 000006
【図６】
0004010250.tif 000007
【図７】
0004010250.tif 000008